(57)【要約】【課題】  扉が開放された際の外気侵入及び冷気漏洩を極力低減できると共に、貯蔵室内の悪臭による不都合を解消若しくは最小限に抑制することができる冷蔵庫を提供する。【解決手段】  冷蔵庫１は、断熱箱体６内に構成した冷蔵室１１を冷却すると共に、この冷蔵室１１の開口は扉１４により開閉自在に閉塞して成るものであって、扉１４が開放された場合に冷蔵室１１内の冷気を脱臭した後、循環させて、当該冷蔵室１１の開口部に冷気エアーカーテンを形成する。【選択図】    図３
2005037125.tif 000002
【特許請求の範囲】
【請求項１】
断熱箱体内に構成した貯蔵室を冷却すると共に、この貯蔵室の開口は扉により開閉自在に閉塞して成る冷蔵庫において、
前記扉が開放された場合に前記貯蔵室内の冷気を脱臭した後、循環させて、当該貯蔵室の開口部に冷気エアーカーテンを形成することを特徴とする冷蔵庫。
【請求項２】
断熱箱体内に貯蔵室を構成し、冷却器と熱交換した冷気を冷却用送風機にて前記貯蔵室に強制循環すると共に、この貯蔵室の開口は扉により開閉自在に閉塞して成る冷蔵庫において、
前記貯蔵室の開口上部に形成された吹出口と、当該吹出口の下方に形成された吸引口と、これら吹出口及び吸引口を連通するエアーカーテン用ダクトと、このエアーカーテン用ダクト内に配設された脱臭装置と、前記エアーカーテン用ダクト内に配設され、前記吸引口から前記貯蔵室内の冷気を吸引し、前記エアーカーテン用ダクトを介して前記吹出口より前記貯蔵室内に吹き出すことにより、前記貯蔵室の開口部に冷気エアーカーテンを形成するエアーカーテン用送風機とを備えたことを特徴とする冷蔵庫。
【請求項３】
扉が閉じられた状態ではエアーカーテン用送風機は停止され、前記扉が開放された場合に前記エアーカーテン用送風機を運転することを特徴とする請求項２の冷蔵庫。
【請求項４】
扉が開放されていた時間を積算すると共に、扉が閉じられた場合には、前記積算された時間に基づく時間、エアーカーテン用送風機の運転を継続した後、停止させることを特徴とする請求項３の冷蔵庫。
【請求項５】
扉が閉じられた状態で、貯蔵室内の温度が所定値以上に上昇した場合には、エアーカーテン用送風機を運転することを特徴とする請求項３又は請求項４の冷蔵庫。
【請求項６】
断熱箱体は前面に開口しており、この断熱箱体内を仕切壁にて上下に区画し、上側に貯蔵室を構成すると共に、この貯蔵室の下部には仕切板にて区画室を形成し、冷気エアーカーテンを構成する冷気の吸引部を、前記仕切壁の前部上面及び前記仕切板の前部に構成したことを特徴とする請求項１、請求項２、請求項３、請求項４又は請求項５の冷蔵庫。
【発明の詳細な説明】
【技術分野】
【０００１】
本発明は、断熱箱体内に貯蔵室を構成して冷却すると共に、貯蔵室の開口は扉にて開閉自在に閉塞して成る冷蔵庫に関するものである。
【背景技術】
【０００２】
従来よりこの種冷蔵庫は、例えば特許文献１に示される如く断熱箱体内に冷凍室や冷蔵室を構成すると共に、冷凍室の奥部に画成された冷却室内に冷却器と送風機を設置して、この冷却器にて冷却された冷気を冷却用送風機により前記各室に供給し、循環させて冷却する方式が採られている。また、各室の前面開口は扉にて開閉自在に閉塞されていた。
【特許文献１】実公平６−１２３０１号公報（Ｆ２５Ｄ２３／００）
【発明の開示】
【発明が解決しようとする課題】
【０００３】
しかしながら、食品の納出のために扉を開放すると、各室内の冷気は外部に漏出し、代わって温度・湿度の高い外気が各室内に流入してしまう。そのため、従来では扉が開放された際には冷却用送風機を停止するなどの対処が採られていたが、やはり扉の開放時間に比例し、冷気漏洩及び外気侵入による温度上昇は激しいものとなっていた。
【０００４】
一方、貯蔵室内は扉にて閉塞されているため、貯蔵室内に収納された食品等から生じる臭いが、他の食品に移ったり、扉を開放したときに悪臭となって使用者に不快感を与える問題があった。
【０００５】
本発明は、係る従来の技術的課題を解決するために成されたものであり、扉が開放された際の外気侵入及び冷気漏洩を極力低減できると共に、貯蔵室内の悪臭による不都合を解消若しくは最小限に抑制することができる冷蔵庫を提供するものである。
【課題を解決するための手段】
【０００６】
請求項１の発明の冷蔵庫は、断熱箱体内に構成した貯蔵室を冷却すると共に、この貯蔵室の開口は扉により開閉自在に閉塞して成るものであって、扉が開放された場合に貯蔵室内の冷気を脱臭した後、循環させて、当該貯蔵室の開口部に冷気エアーカーテンを形成するものである。
【０００７】
請求項２の発明の冷蔵庫は、断熱箱体内に貯蔵室を構成し、冷却器と熱交換した冷気を冷却用送風機にて貯蔵室に強制循環すると共に、この貯蔵室の開口は扉により開閉自在に閉塞して成るものであって、貯蔵室の開口上部に形成された吹出口と、当該吹出口の下方に形成された吸引口と、これら吹出口及び吸引口を連通するエアーカーテン用ダクトと、このエアーカーテン用ダクト内に配設された脱臭装置と、エアーカーテン用ダクト内に配設され、吸引口から貯蔵室内の冷気を吸引し、エアーカーテン用ダクトを介して吹出口より貯蔵室内に吹き出すことにより、貯蔵室の開口部に冷気エアーカーテンを形成するエアーカーテン用送風機とを備えたものである。
【０００８】
請求項３の発明の冷蔵庫は、上記において扉が閉じられた状態ではエアーカーテン用送風機は停止され、扉が開放された場合にエアーカーテン用送風機を運転するものである。
【０００９】
本発明によれば、扉によって開閉自在とされた冷蔵庫の貯蔵室開口部に冷気エアーカーテンを形成するようにしたので、扉が開放された際に貯蔵室内に侵入しようとする外気及び貯蔵室内から漏洩しようとする冷気を、エアーカーテンによって極力阻止することができる。これにより、扉開放による貯蔵室内の温度上昇を極力抑制し、冷却効果の改善を図ることができるようになる。
【００１０】
また、貯蔵室内の冷気を循環させてエアーカーテンを形成しているので、ダクト構造が簡素化されると共に、貯蔵室内の冷気を撹拌する作用も奏するので、貯蔵室内温度の均一化にも寄与する。更に、エアーカーテンを形成するための冷気は脱臭した後、循環させているので、係る冷気の循環によって貯蔵室内の脱臭が円滑に行われるようになると共に、エアーカーテンとして吹き出される冷気が脱臭されていることにより、使用者が悪臭を感じる不都合も解消若しくは最小限に抑制することができるようになるものである。
【００１１】
特に、請求項２の発明では冷却器と熱交換した冷気を貯蔵室に循環する冷却用送風機とは別にエアーカーテン用送風機を設け、ダクトもエアーカーテン用に格別に形成しているので、エアーカーテンの形成によって冷却のための冷気循環に悪影響が及ぼされることも無くなる。また、冷気を脱臭するための脱臭装置はエアーカーテン用ダクト内に配設したので、貯蔵室内に取り付けるものに比して外観の悪化も生じず、また、収納物品が衝突して破損するなどの不都合も未然に回避できるようになるものである。
【００１２】
また、請求項１及び請求項３の発明によれば、扉が開放された場合に冷気エアーカーテンを形成するようにしているので、省エネルギーにも寄与できるようになるものである。
【００１３】
請求項４の発明の冷蔵庫は、請求項３の冷蔵庫において扉が開放されていた時間を積算すると共に、扉が閉じられた場合には、積算された時間に基づく時間、エアーカーテン用送風機の運転を継続した後、停止させるものである。
【００１４】
請求項４の発明によれば、扉が開放されていた時間を積算すると共に、扉が閉じられた場合には、積算された時間に基づく時間、エアーカーテン用送風機の運転を継続した後、停止させるようにしたので、扉の開放中に生じた貯蔵室内の温度上昇や温度むらを、扉を閉じた後に迅速に低下及び均一化させることができるようになるものである。
【００１５】
請求項５の発明の冷蔵庫は、請求項３又は請求項４の発明において冷蔵庫扉が閉じられた状態で、貯蔵室内の温度が所定値以上に上昇した場合には、エアーカーテン用送風機を運転するものである。
【００１６】
請求項５の発明によれば、請求項３又は請求項４の発明に加えて扉が閉じられた状態でも、貯蔵室内の温度が所定値以上に上昇した場合には、エアーカーテン用送風機を運転するようにしたので、貯蔵室内の冷気をエアーカーテン用送風機の運転によって撹拌し、貯蔵室内の温度回復（低下）を迅速化することができるようになるものである。
【００１７】
請求項６の発明の冷蔵庫は、請求項１、請求項２、請求項３、請求項４又は請求項５の発明において、断熱箱体は前面に開口しており、この断熱箱体内を仕切壁にて上下に区画し、上側に貯蔵室を構成すると共に、この貯蔵室の下部には仕切板にて区画室を形成し、冷気エアーカーテンを構成する冷気の吸引部を、仕切壁の前部上面及び仕切板の前部に構成したものである。
【００１８】
請求項６の発明によれば、断熱箱体は前面に開口しており、この断熱箱体内を仕切壁にて上下に区画し、上側に貯蔵室を構成すると共に、この貯蔵室の下部には仕切板にて区画室を形成し、冷気エアーカーテンを構成する冷気の吸引部を、仕切壁の前部上面及び仕切板の前部に構成したので、貯蔵室の開口の全域に冷気エアーカーテンを形成することが可能となり、外気侵入・冷気漏洩抑制効果を一層向上させることができるようになる。
【００１９】
特に、この場合冷気は仕切壁の前部上面及び仕切板の前部の吸引部から吸引されるので、エアーカーテンを形成する冷気を確実に吸引して外部への漏洩を最小限として、冷却効率の向上も図ることができるようになるものである。
【発明の効果】
【００２０】
以上詳述した如く本発明によれば、扉によって開閉自在とされた冷蔵庫の貯蔵室開口部に冷気エアーカーテンを形成するようにしたので、扉が開放された際に貯蔵室内に侵入しようとする外気及び貯蔵室内から漏洩しようとする冷気を、エアーカーテンによって極力阻止することができる。これにより、扉開放による貯蔵室内の温度上昇を極力抑制し、冷却効果の改善を図ることができるようになる。
【００２１】
また、貯蔵室内の冷気を循環させてエアーカーテンを形成しているので、ダクト構造が簡素化されると共に、貯蔵室内の冷気を撹拌する作用も奏するので、貯蔵室内温度の均一化にも寄与する。更に、エアーカーテンを形成するための冷気は脱臭した後、循環させているので、係る冷気の循環によって貯蔵室内の脱臭が円滑に行われるようになると共に、エアーカーテンとして吹き出される冷気が脱臭されていることにより、使用者が悪臭を感じる不都合も解消若しくは最小限に抑制することができるようになるものである。
【００２２】
特に、請求項２の発明では冷却器と熱交換した冷気を貯蔵室に循環する冷却用送風機とは別にエアーカーテン用送風機を設け、ダクトもエアーカーテン用に格別に形成しているので、エアーカーテンの形成によって冷却のための冷気循環に悪影響が及ぼされることも無くなる。また、冷気を脱臭するための脱臭装置はエアーカーテン用ダクト内に配設したので、貯蔵室内に取り付けるものに比して外観の悪化も生じず、また、収納物品が衝突して破損するなどの不都合も未然に回避できるようになるものである。
【００２３】
また、請求項１及び請求項３の発明によれば、扉が開放された場合に冷気エアーカーテンを形成するようにしているので、省エネルギーにも寄与できるようになるものである。
【００２４】
更に、請求項４の発明によれば、扉が開放されていた時間を積算すると共に、扉が閉じられた場合には、積算された時間に基づく時間、エアーカーテン用送風機の運転を継続した後、停止させるようにしたので、扉の開放中に生じた貯蔵室内の温度上昇や温度むらを、扉を閉じた後に迅速に低下及び均一化させることができるようになるものである。
【００２５】
請求項５の発明によれば、請求項３又は請求項４の発明に加えて扉が閉じられた状態でも、貯蔵室内の温度が所定値以上に上昇した場合には、エアーカーテン用送風機を運転するようにしたので、貯蔵室内の冷気をエアーカーテン用送風機の運転によって撹拌し、貯蔵室内の温度回復（低下）を迅速化することができるようになるものである。
【００２６】
請求項６の発明によれば、前記各発明に加えて断熱箱体は前面に開口しており、この断熱箱体内を仕切壁にて上下に区画し、上側に貯蔵室を構成すると共に、この貯蔵室の下部には仕切板にて区画室を形成し、冷気エアーカーテンを構成する冷気の吸引部を、仕切壁の前部上面及び仕切板の前部に構成したので、貯蔵室の開口の全域に冷気エアーカーテンを形成することが可能となり、外気侵入・冷気漏洩抑制効果を一層向上させることができるようになる。
【００２７】
特に、この場合冷気は仕切壁の前部上面及び仕切板の前部の吸引部から吸引されるので、エアーカーテンを形成する冷気を確実に吸引して外部への漏洩を最小限として、冷却効率の向上も図ることができるようになるものである。
【発明を実施するための最良の形態】
【００２８】
次に、図面に基づき本発明の実施形態を詳述する。図１は本発明を適用した冷蔵庫１の正面図、図２は扉１４を除く冷蔵庫１の正面図、図３は冷蔵庫１の縦断側面図、図４は冷蔵庫１の冷蔵室１１の正面図、図５は冷蔵庫１の冷蔵室１１部分の拡大縦断側面図、図６は冷蔵庫１の冷蔵室１１部分の透視斜視図である。
【００２９】
冷蔵庫１は鋼板製の外箱２と、ＡＢＳなどの硬質樹脂製の内箱３間に発泡ポリウレタン等の断熱材４を現場発泡方式にて充填して成る前面開口の断熱箱体６から構成されている。この断熱箱体６の庫内は、上仕切壁８、中仕切部材７及び下仕切部材９によって上下四室に区画されており、上仕切壁８の上方を冷蔵室１１、下仕切部材９の下方を冷凍室１３、中仕切部材７と下仕切部材９の間を野菜室１２としている。上仕切壁８と中仕切部材７の間は、図示しない断熱壁にて更に左右に区画され、向かって左側をアイス室１０、右側をセレクト室としている。
【００３０】
そして、冷蔵室１１の前面開口は回動自在の断熱扉１４によって開閉自在に閉塞されると共に、冷凍室１３及び野菜室１２は、上面開口の容器１６Ａ、１７Ａを備えた引き出し式の断熱扉１６、１７によりそれぞれ開閉自在に閉塞されている。また、アイス室１０も、上面開口の容器１８Ａを備えた引き出し式の断熱扉１８により開閉自在に閉塞され、前記セレクト室も同様の引き出し式の断熱扉１９により開閉自在に閉塞されている。
【００３１】
また、アイス室１０の上部には自動製氷機２１が設置されている。更に、野菜室１２の奥方は断熱仕切板２２及び冷却器前板２３にて前後に区画され、冷却器前板２３の後側に冷却室２４が区画形成されており、この冷却室２４内に冷却器２６が縦設されている。この冷却器２６の上方には冷却用送風機２９が設けられており、冷却器２６の下方には除霜ヒータ３１が設けられている。
【００３２】
そして、断熱仕切板２２と冷却器前板２３間の空間下端部に冷凍室吐出口１３Ａが形成されると共に、断熱仕切板２２の下部には図示しない冷凍室吸込口が形成されている。
【００３３】
一方、冷却器前板２３上部には冷却用送風機２９のプロペラファン３２が臨むグリル２３Ａが形成されている。ファン３２の前側の断熱仕切板２２と冷却器前板２３間の空間には断熱仕切板２２内及び上仕切壁８内に挿入された成型断熱材３８の後部を上下に貫通するかたちで上方に延在する案内ダクト３９が形成されており、断熱仕切板２２上部の案内ダクト３９内にはモータダンパー４６が取り付けられている。
【００３４】
このモータダンパー４６には二つのバッフルが備えられており、冷蔵室用のバッフルからは冷蔵室１１に向かう冷蔵室背面ダクト４７が上方に延在すると共に、セレクト室用のバッフルからは前記セレクト室にそれぞれ向かう図示しないダクトが形成されている。
【００３５】
冷蔵室１１の奥部には内箱３背面と間隔を存して背面板４９が取り付けられており、この背面板４９と内箱３間の左右において、上下に延在する前記冷蔵室背面ダクト４７が形成されている。そして、背面板４９の左右には冷蔵室吐出口１１Ａが形成され、冷蔵室背面ダクト４７に連通している。また、冷蔵室１１内には棚５１・・が複数段架設されている。
【００３６】
更に、冷蔵室１１の下部には上仕切壁８の上方に所定の間隔を存して仕切板４２が取り付けられており、この仕切板４２の前側には開閉自在の蓋４３が回動自在に吊下され、これらで囲繞される空間に内蔵室４４が形成されている。そして、この内蔵室４４内には引き出し自在の容器４８が収納されている。尚、４４Ａは背面板４９に形成された内蔵室吐出口であり、冷蔵室背面ダクト４７下部に連通している。
【００３７】
また、冷蔵室１１背面の背面板４９の右下隅部には、内蔵室４４の後面に位置して冷蔵室後吸込口６１が形成されており、この冷蔵室後吸込口６１は図示しない帰還ダクトに連通している。更に、内蔵室４４の左側には前記自動製氷機２１に給水するための給水タンク５２が収納されている。
【００３８】
前記野菜室１２内に収納された容器１７Ａの上面は蓋５３にて閉塞されており、前記冷蔵室１１からの帰還ダクトこの容器１７Ａ周囲に流通された後、冷却室２４に戻される。また、前記アイス室１０やセレクト室からの帰還冷気は図示しない帰還ダクトにより直接冷却室２４に戻される。
【００３９】
ここで、背面板４９の中央部には上下に渡って凹陥した凹陥部５４が形成されており、この凹陥部５４には透光性のシェード５６が取り付けられている。尚、前記冷蔵室背面ダクト４７はこの凹陥部５４の左右に隔絶して形成されている。そして、シェード５６にて閉塞された凹陥部５４内にエアーカーテン用背面ダクト５７が形成され、その中には照明灯５９が取り付けられている。
【００４０】
凹陥部５４の最下部に位置するエアーカーテン用背面ダクト５７内には軸方向（前方）から冷気を吸引して半径方向に吹き出すターボファン６７を備えたエアーカーテン用送風機６８が配設されている。また、冷蔵室１１の天面には天面板６９が取り付けられ、この天面板６９内にはエアーカーテン用天面ダクト７１が前後に渡って構成されている。このエアーカーテン用天面ダクト７１の後端は前記エアーカーテン用背面ダクト５７の上端に連通しており、エアーカーテン用天面ダクト７１の前端には、冷蔵室１１の前面開口近傍に位置して複数の吹出口７２・・が左右に並設されている。
【００４１】
また、上仕切壁８内に挿入された成型断熱材３８の上面は前後に渡って凹陥されており、そこにエアーカーテン用底面ダクト７３が上仕切壁８内に位置して形成されている。このエアーカーテン用底面ダクト７３の前端には、冷蔵室１１の前面開口近傍（吹出口７２の・・下方に対応して）に位置して複数の吸引口７４・・が左右に並設されている。また、このエアーカーテン用底面ダクト７３の後端は連絡ダクト７６を介して前記エアーカーテン用送風機６８の前側に連通している。
【００４２】
更に、前記仕切板４２の下側に位置する背面板４９には、エアーカーテン用送風機６８の前側に連通する複数の吸引口７５・・が左右に並設されている。そして、内蔵室４４の蓋４３と仕切板４２前部との隙間Ｇ（冷気吸引部）が形成される。
【００４３】
ここで、エアーカーテン用背面ダクト５７内に配設されたエアーカーテン用送風機６８の上側には、脱臭装置７０が取り付けられている。この脱臭装置７０は、エアーカーテン用背面ダクト５７の左右寸法よりも小さい寸法、例えば左右寸法の略半分程の横幅寸法を備えた矩形状を呈しており、ダクト５７内の向かって左側に偏位して取り付けられる。更に、この脱臭装置７０は活性炭から構成されており、複数の微細な孔に臭気成分を吸着する脱臭効果を奏すると共に、同様に通過する冷気中に存在する浮遊菌をも捕獲することができる抗菌脱臭触媒である（例えば神鋼商事（株）製脱臭器）。
【００４４】
一方、断熱箱体６の下部には機械室７７が構成されており、この機械室７７内後部には前記冷却器２６と周知の冷凍サイクルを構成する圧縮機７８や図示しない凝縮器、凝縮器用送風機などが設置されている。
【００４５】
以上の構成で、図示しない制御装置により圧縮機７８及び冷却用送風機２９が運転されると、冷却器２６にて冷却された冷却室２４内の冷気は冷却用送風機２９のプロペラファン３２により上方に吸い上げられ、前方に吹き出されて一部は下方に向かい、冷凍室吐出口１３Ａより冷凍室１３内に吹き出される。そして、冷凍室１３内の容器１６Ａ内を循環して冷却した後、冷気は前記冷凍室吸込口から冷却室２４内に帰還する。これによって、冷凍室１３は所定の冷凍温度（−２０℃程）に維持される。
【００４６】
尚、圧縮機７８及び冷却用送風機２９の運転は冷凍室１３内の温度を検出する図示しない冷凍室温度センサーに基づいて前記制御装置によって制御される。
【００４７】
冷却用送風機２９より吹き出された冷気の一部は上方に向かい、案内ダクト３９に流入してモータダンパー４６部分にて前述の如く冷蔵室背面ダクト４７及び各アイス室１０、セレクト室に向けて分配される。アイス室１０内の温度は前記モータダンパー４６によって凍結温度となるように冷気供給量が制御され、自動製氷機２１によて製氷が成される。
【００４８】
また、セレクト室内は冷凍室から野菜室の範囲で制御温度が選択可能とされており、当該選択された温度となるように冷気供給量が制御される。尚、モータダンパー４６はアイス室１０やセレクト室、冷蔵室１１の温度をそれぞれ検出する図示しない温度センサーに基づき、前記制御装置によって制御される。
【００４９】
ここで、モータダンパー４６から冷蔵室背面ダクト４７に流入した冷気は冷蔵室吐出口１１Ａ・・・や内蔵室吐出口４４Ａから冷蔵室１１、内蔵室４４内に吹き出され、内部を循環して冷却した後、冷蔵室後吸込口６１に流入する。
【００５０】
冷蔵室後吸込口６１に流入した冷気は、前記帰還ダクト内に流入する。この帰還ダクト内に流入した冷気は、そこを降下して野菜室１２内に吐出される。そして、野菜室１２内を循環し、容器１７Ａ内を間接的に冷却した後、図示しない野菜室吸込口から吸い込まれ、冷却室２４内の最下部に帰還する。これによって、容器１７Ａ内の野菜は乾燥が防がれた状態で＋３℃〜＋５℃程の温度に保冷されることになる。
【００５１】
前記制御装置は冷凍室１３の温度に基づいて冷却用送風機２９をＯＮ−ＯＦＦ制御しているが、何れかの扉１４、１６、１７、１８、１９が開放された場合には、冷却用送風機２９を停止する。これによって、各室からの冷気漏洩を抑制するものである。
【００５２】
また、制御装置は冷蔵室１１の扉１４が閉じられており、且つ、冷蔵室１１内の温度が例えば＋６℃などの所定の高温度より低い場合には、エアーカーテン用送風機６８を停止している。そして、扉１４が開放されると、制御装置はこのエアーカーテン用送風機６８を運転すると共に、照明灯５９を点灯する。
【００５３】
エアーカーテン用送風機６８が運転されると、軸方向から冷気を吸引して半径方向に吹き出す作用を奏するので、冷蔵室１１内の冷気は吸引口７４・・から吸引され、エアーカーテン用底面ダクト７３、連絡ダクト７６を経てエアーカーテン用送風機６８に至ると共に、隙間Ｇを介して吸引口７５・・からも吸引され、エアーカーテン用送風機に至る。そして、エアーカーテン用背面ダクト５７に吹き出され、一部は脱臭装置７０を通過して上昇し、残りはそのまま上昇して、エアーカーテン用天面ダクト７１に入り、そこを前方に流れて吹出口７２・・・から下方の冷蔵室１１の開口部に吹き出される。
【００５４】
これによって、冷蔵室１１の開口部には全域に渡って図５、図７に矢印で示す如く冷気エアーカーテンが形成されるので、扉１４が開放された際に冷蔵室１１内に侵入しようとする外気及び冷蔵室１１内から漏洩しようとする冷気を、エアーカーテンによって極力阻止することができるようになる。
【００５５】
特に、エアーカーテン用送風機６８の運転によって、エアーカーテン用背面ダクト７１に配設された脱臭装置７０により脱臭された後の冷気を冷蔵室１１等の貯蔵室を循環させることができるので、貯蔵室内の脱臭が円滑に行われるようになる。また、エアーカーテンとして吹き出される冷気が脱臭されていることにより、使用者が悪臭を感じる不都合も解消若しくは最小限に抑制することができる。
【００５６】
また、冷蔵室１１内で冷気を循環させるためのエアーカーテン用背面ダクト７１内に脱臭装置７０を配設したので、特に悪臭の生じ易い冷蔵室１１内に脱臭効果を集中させることができる効果もある。
【００５７】
更に、冷気を脱臭するための脱臭装置７０はエアーカーテン用背面ダクト７１内に配設したので、貯蔵室内に取り付けるものに比して外観の悪化も生じず、また、収納物品が衝突して破損するなどの不都合も未然に回避できる。
【００５８】
ここで制御装置は、扉１４が開放されている時間を積算しており、扉１４が閉じられた場合には、前記積算時間と同じ時間だけエアーカーテン用送風機６８の運転を継続して行った後、停止する。これにより、扉１４の開放中に生じた貯蔵室内の温度上昇や温度むらを、扉１４を閉じた後に迅速に低下及び均一化させることができる。
【００５９】
尚、扉１４が閉じられてからエアーカーテン用送風機６８の運転を継続する時間は、積算時間と同じ時間に限らず、積算時間に比例した時間割合でも良い。この場合、比例の態様は積算時間が長くなるにつれて段階的に長くなるものでも良く、積算時間の長さにリニアに比例するものでも良い。又、扉１４の開放されている時間を積算せずに、扉１４の開閉があれば、毎回所定時間だけエアーカーテン用送風機６８の運転を継続するようにしても良い。
【００６０】
そして更に、例えば多量の熱負荷が投入されるなどして冷蔵室１１内の温度が例えば＋６℃などの高温度以上に上昇した場合には、制御装置は扉１４が閉じられて更に前記積算時間が経過した後であってもエアーカーテン用送風機６８を運転する。
【００６１】
これにより、冷蔵室１１内の冷気は撹拌されるので、冷蔵室１１内の温度回復（低下）は迅速化される。また、上記の如きエアーカーテン用送風機６８の運転によって冷蔵室１１内の冷気が撹拌されることにより、冷蔵室１１内の温度が均一化する作用も奏する。
【００６２】
また、扉１４が開放された場合に冷気エアーカーテンを形成するようにしているので、省エネルギーにも寄与できるようになる。
【００６３】
更に、扉１４が閉じられた状態でも、貯蔵室内の温度が所定値以上に上昇した場合には、エアーカーテン用送風機６８を運転するようにしたので、貯蔵室内の冷気をエアーカーテン用送風機６８の運転によって撹拌し、貯蔵室内の温度回復（低下。特に扉１４内側のポケットなど）を迅速化することができる。
【００６４】
本発明によれば、エアーカーテンを形成するための冷気は脱臭した後、循環させているので、係る冷気の循環によって貯蔵室内の脱臭が円滑に行われるようになると共に、エアーカーテンとして吹き出される冷気が脱臭されていることにより、使用者が悪臭を感じる不都合も解消若しくは最小限に抑制することができるようになるものである。
【００６５】
また、冷気を脱臭するための脱臭装置はエアーカーテン用ダクト内に配設したので、貯蔵室内に取り付けるものに比して外観の悪化も生じず、また、収納物品が衝突して破損するなどの不都合も未然に回避できるようになるものである。
【図面の簡単な説明】
【００６６】
【図１】本発明の冷蔵庫の正面図である。
【図２】本発明の冷蔵室の扉を除く冷蔵庫の正面図である。
【図３】本発明の冷蔵庫の縦断側面図である。
【図４】本発明の冷蔵庫の冷蔵室の正面図である。
【図５】本発明の冷蔵庫の冷蔵室部分の拡大縦断側面図である。
【図６】本発明の冷蔵庫の冷蔵室部分の透視斜視図である。
【図７】本発明の冷蔵室の扉を除く冷蔵庫の縦断側面図である。
【符号の説明】
【００６７】
１  冷蔵庫
６  断熱箱体
７  中仕切部材
８  上仕切壁
９  下仕切部材
１１  冷蔵室
１１Ａ  冷蔵室吐出口
２４  冷却室
２６  冷却器
２９  冷却用送風機
４２  仕切板
４３  蓋
４４  内蔵室
４７  冷蔵室背面ダクト
５７  エアーカーテン用背面ダクト
７０  脱臭装置
７１  エアーカーテン用天面ダクト
７２  吹出口
７３  エアーカーテン用底面ダクト
７４  吸引口
７５  吸引口
Ｇ  隙間
【図１】
2005037125.tif 000003
【図２】
2005037125.tif 000004
【図３】
2005037125.tif 000005
【図４】
2005037125.tif 000006
【図５】
2005037125.tif 000007
【図６】
2005037125.tif 000008
【図７】
2005037125.tif 000009